(57)【特許請求の範囲】
【請求項１】
変速機の軸受構造において、
動力が伝達されるギヤ列の一方を構成するとともに、内スプラインが形成されたギヤと、
前記ギヤを両持ちで支持するとともに、スラスト荷重を負荷可能な軸受と、
スプライン外径が外側に向けて弓状に湾曲した外スプラインが形成されているとともに、当該外スプラインがバックラッシを有するルーズスプラインによって、前記ギヤ側の内スプラインと結合した回転軸と
を有することを特徴とする変速機の軸受構造。
【請求項２】
変速機の軸受構造において、
動力が伝達されるギヤ列の一方を構成するとともに、内スプラインが形成されたギヤと、
前記ギヤを両持ちで支持するとともに、スラスト荷重を負荷可能な軸受と、
スプライン外径が外側に向けて弓状に湾曲した外スプラインが形成されているとともに、当該外スプラインがバックラッシを有するルーズスプラインによって、前記ギヤ側の内スプラインと結合した回転軸とを有し、
前記回転軸の軸長は、変速機における主変速部の全長よりも長いことを特徴とする変速機の軸受構造。
【請求項３】
前記バックラッシは、0.03mm以上で0.15mm以下であることを特徴とする請求項１または２に記載された変速機の軸受構造。
【請求項４】
前記バックラッシは、0.05mm以上で0.08mm以下であることを特徴とする請求項３に記載された変速機の軸受構造。
【請求項５】
前記外スプラインの歯筋には、クラウニングが設けられていることを特徴とする請求項１から４のいずれかに記載された変速機の軸受構造。
【請求項６】
変速機の軸受構造において、
回転軸と、
前記回転軸の端部に設けられているとともに、ギヤ列の一方を構成するギヤと、
前記ギヤを両持ちで支持するとともに、スラスト荷重を負荷可能な軸受と、
前記ギヤと前記回転軸との間に介装された等速継ぎ手と
を有することを特徴とする変速機の軸受構造。
【請求項７】
前記軸受は、ボール軸受またはテーパーローラ軸受のいずれかであることを特徴とする請求項１から６のいずれかに記載された変速機の軸受構造。
【請求項８】
前記回転軸は、ドライブピニオン軸であり、
前記ギヤは、前記ドライブピニオン軸の端部に設けられたドリブンギヤであることを特徴とする請求項１から７のいずれかに記載された変速機の軸受構造。
【請求項９】
前記回転軸の略中間位置に設けれらており、前記回転軸を軸支する中間軸受をさらに有することを特徴とする請求項１から８のいずれかに記載された変速機の軸受構造。
【発明の詳細な説明】
【０００１】
【発明の属する技術分野】
本発明は、自動車等の変速機の軸受構造に係り、特に、比較的長い回転軸の支持に適した軸受構造に関する。
【０００２】
【従来の技術】
一般に、変速機では、動力の入力部と出力部とが離れた位置にあるギヤトレンが採用されているため、ドライブピニオン軸等が長軸化する傾向がある。例えば、縦置型変速機の場合、フロントデファレンシャル装置の最適な配置位置は車輪と同軸上の車両中心となる。したがって、最適位置に配置されたデファレンシャル装置を駆動するドライブピニオン軸が必然的に長くなる傾向がある。また、横置型変速機についても同様であり、主変速部の全長にほぼ相当するドライブピニオン軸が用いられることが多い。
【０００３】
このように、比較的長軸なドライブピニオン軸を用いた構造では、軸の曲げ振動（すなわち、ラジアル方向の周期的な軸変位）を起こすことがある。軸の曲げ振動によるラジアル方向の軸変位は、軸の端部に取付けられたギヤに伝達される。その結果、このギヤを含むギヤ列において、歯当り変化を引き起こす。ここで、「歯当り変化」とは、軸が傾くことで歯の当りが理想的な位置からずれて、局所的かつ偏在的に当たる現象をいう。この歯当り変化が生じると、伝達効率の低下やギヤの摩耗を招くばかりでなく、曲げ振動に同期したギヤノイズが発生し、運転者に違和感を与えるという不都合が生じる。
【０００４】
このような不都合を解消する一手法として、長軸の中間に軸受を追加することで、軸の曲げ振動自体を規制することが考えられる。また、特開平６−２４１２８８号公報には、第１の軸受開口および第２の軸受開口を有する支持体を用い、変速機の主軸および副軸が各軸受開口を通じて延在する軸受構造が開示されている。主軸および副軸は、支持体によって両端の中間で軸支されるため、ギヤの歯の分離力が軸に関して横方向に作用するにも拘わらず、主軸と副軸との間の中心距離は、噛み合いギヤ列の中心距離と同じに保持される。
【０００５】
【発明が解決しようとする課題】
しかしながら、上述した従来技術は、ギヤの噛合反力が作用／反作用の関係で発生することを利用して、軸の変位自体を規制するものであり、軸の曲げ振動によるギヤノイズに対しては十分な効果を期待できない。
【０００６】
本発明は、かかる事情に鑑みてなされたものであり、その目的は、比較的長い回転軸において曲げ振動が生じた場合でも、ギヤ側への振動伝達を低減し、ギヤノイズを効果的に低減することである。
【０００７】
【課題を解決するための手段】
かかる課題を解決するために、第１の発明は、変速機の軸受構造において、動力が伝達されるギヤ列の一方を構成するとともに、内スプラインが形成されたギヤと、ギヤを両持ちで支持するとともに、スラスト荷重を負荷可能な軸受と、スプライン外径が外側に向けて弓状に湾曲した外スプラインが形成されているとともに、この外スプラインがバックラッシを有するルーズスプラインによって、ギヤ側の内スプラインと結合した回転軸とを有する変速機の軸受構造を提供する。この第１の発明は、軸振動が生じ易い長軸の回転軸を支持するのに適しており、特に、変速機における主変速部の全長よりも長い軸長を有する回転軸を支持するのに用いることが好ましい。
【０００８】
第１の発明において、上記バックラッシは、0.03mm以上で0.15mm以下であることが好ましく、より好ましくは、0.05mm以上で0.08mm以下の範囲である。。また、外スプラインの歯筋には、クラウニングが設けられていることが望ましい。
【０００９】
第２の発明は、変速機の軸受構造において、回転軸と、回転軸の端部に設けられているとともに、ギヤ列の一方を構成するギヤと、ギヤを両持ちで支持するとともに、スラスト荷重を負荷可能な軸受と、ギヤと回転軸との間に介装された等速継ぎ手とを有する変速機の軸受構造を提供する。
【００１０】
ここで、第１または第２の発明において、上記スラスト軸受は、ボール軸受またはテーパーローラ軸受のいずれかであることが好ましい。
【００１１】
また、第１または第２の発明において、上記回転軸は、ドライブピニオン軸であり、上記ギヤは、ドライブピニオン軸の端部に設けられたドリブンギヤであってもよい。
【００１２】
さらに、上述した第１または第２の発明において、上記回転軸の略中間位置に設けれらており、回転軸を軸支する中間軸受を設けてもよい。
【００１４】
【発明の実施の形態】
（第１の実施形態）
図１は、縦置型変速機の要部構成図である。自動変速機の出力側に設けられたドライブピニオン軸１の一端には、ヘリカルギヤであるリダクションドリブンギヤ２が一体的に取付けられており、その他端には、ハイポイドドライブギヤと噛合したハイポイドピニオンギヤ３が取付けられている。変速機中の変速機構において変速された大きな駆動力は、図示しないリダクションドライブギヤとリダクションドリブンギヤ２とで構成されるギヤ列を介して、ドライブピニオン軸１に伝達される。そして、このドライブピニオン軸１の駆動力は、ハイポイドピニオンギヤ３と噛合したハイポイドドライブギヤを介して車輪に伝達される。
【００１５】
上述したように、フロントデファレンシャル装置７の最適な配置位置との関係上、最適位置に配置されたデファレンシャル装置７を駆動するドライブピニオン軸１が長軸化する傾向がある。この変速機では、ドライブピニオン軸１の軸長は、この軸１の上部に位置する図示しない主変速部（すなわち、多板クラッチ，多板ブレーキおよびプラネタリ等を主体に構成された変速機構が存在する部分）の全長よりも長い。
【００１６】
ドライブピニオン軸１は、ハイポイドピニオンギヤ３の近傍に配設された複列テーバローラ軸受４と、リダクションドリブンギヤ２の近傍に配設された一対のボール軸受５とによって軸支されている。これらの軸受４，５は、ドライブピニオン軸１の両端に配設されており、同軸上に位置する。ハイポイドピニオンギヤ３の内側に配設された複列テーパローラ軸受４は、内輪がドライブピニオン軸１に固定されているとともに、外輪がボルトによってトランスミッションケースに固定されている。そして、これらの内外輪間のスペースには、複数の円錐ころが介装されている。
【００１７】
ドライブピニオン軸１とリダクションドリブンギヤ２とは、スプライン部６によって連接している。具体的には、このスプライン部６と位置的に対応するリダクションドリブンギヤ２の中空穴には、内スプラインが形成されている。この内スプラインはドライブピニオン軸１側に形成された外スプラインとスプライン嵌合している。ただし、ドライブピニオン軸１の端部は、リダクションドリブンギヤ２の中間位置で留まっており、リダクションドリブンギヤ２を完全には貫通していない。このような非貫通な状態で回転結合する理由は、貫通させた場合と比較して、スプラインの歯筋精度との関係より後述するバックラッシの管理が容易になるからであり、また、短軸化した分だけ軸重の軽減を図ることができるからである。ただし、これらの点を考慮する必要がないのであれば、リダクションドリブンギヤ２にドライブピニオン軸１を貫通させても構わない。
【００１８】
また、リダクションドリブンギヤ２は、一対のボール軸受５ａ，５ｂによって両持ちで支持されている。すなわち、リダクションドリブンギヤ２の外周には、ギヤ部２ａを中心として軸方向内側に延在する固定部２ｂと、軸方向外側に延在する固定部２ｃとが設けられている。軸方向内側の固定部２ｂには、外輪がトランスミッションケースに固定されたボール軸受５ａの内輪が固定されている。また、軸方向外側の固定部２ｃには、外輪がトランスミッションケースに固定されたボール軸受５ｂの内輪が固定されている。これらのボール軸受５ａ，５ｂは、通常の深溝玉軸受であり、ラジアル荷重の負荷と共にドライブピニオン軸１の軸心に平行なスラスト荷重を負荷するスラスト軸受としても機能する。
【００１９】
ドライブピニオン軸１側に設けられた外スプラインは、ドライブピニオン軸１で生じた軸振動がリダクションドリブンギヤ２側に伝達されないようにするために、バックラッシを有する。一般に、「バックラッシ(backlash)」とは、図２に示すように、互いに噛み合う一対の歯車において、荷重がかかる歯面とは反対側の歯面と、それと対向する相手歯車の歯面との間にできる隙間をいう。スプライン嵌合についても同様にバックラッシを定義できる。このようなバックラッシを有するスプライン嵌合により、リダクションドリブンギヤ２とドライブピニオン軸１とがバックラッシ付でスプライン嵌合しているため、互いに結合している両者は回転的に一体するが、スラスト方向および軸の曲げは、ある程度許容される。
【００２０】
なお、一対のボール軸受５ａ，５ｂの代わりに、上述したスラスト荷重を負荷可能な他の軸受を用いてもよい。これは、ドライブピニオン軸１とリダクションドリブンギヤ２との結合が、軸方向に自由になったことで、リダクションドリブンギヤ２に発生するギヤスラストを複列テーパローラ軸受４が支持しなくなるためである。このようなスラスト軸受としては、テーパーローラ軸受等が挙げられるが、ニードル軸受とスラスト軸受の組み合わせた軸受構造を用いてもよい。
【００２１】
スプライン部６におけるバックラッシは、軸振動の伝達規制およびトルク変動によるガタ打音の防止の双方を考慮した上で、適切な値に設定する必要がある。バックラッシを過大にすると（例えば、0.2mm以上）、トルク変動によるガタ打音やフレッティング摩耗が生じる可能性がある。逆に、このバックラッシが過小だと（例えば、0.02mm以下）、ガタ打音等は防止できる反面、軸振動がギヤに伝達される可能性がある。このような観点から、スプラインのバックラッシ値の設定は重要であり、諸元設定時や組立時に注意を要する。発明者が実験やシミュレーション等を通じて検討を行った結果、バックラッシの具体的な設定値としては、0.03mm以上で0.15mm以下の範囲が好ましく、特に、0.05mm以上で0.08mm以下の範囲に設定することが好ましいことが判明した。
【００２２】
本実施形態では、ドライブピニオン軸１とリダクションドリブンギヤ２とを回転結合する連接機構として、適切なバックラッシを有するルーズスプラインを用いている。ドライブピニオン軸１の軸長は比較的長いため、回転時に、ピニオン軸１が曲げ振動を起こすことがある。スプライン部６はルーズスプラインとなっているため、リダクションドリブンギヤ２の変位を規制しながら、ドライブピニオン軸１の曲げ変位のみを許容する。したがって、ドライブピニオン軸１側からリダクションドリブンギヤ２側への振動伝達は、スプライン部６によって低減される。その結果、ドライブピニオン軸１が曲げ振動を起こす振動モードにおいても、リダクションドリブンギヤ２の歯面振動を低下でき、歯当たり変化を防止できるため、軸振動に起因したギヤノイズの発生を有効に抑制することが可能となる。
【００２３】
また、ドライブピニオン軸１の軸径を太くすることなくギヤノイズ対策を行えるため、変速機の重量増加を抑制することが可能となる。さらに、ドライブピニオン軸１がリダクションドリブンギヤ２を貫通しない分だけドライブピニオン軸１の軸長を短縮できる。このことは、重量面および生産性上有利になる。
【００２４】
なお、本実施形態において、ドライブピニオン軸１の略中間位置に中間軸受を設け、両端および中間位置でドライブピニオン軸１を軸支する構造にしてもよい。この中間軸受を設けることで、ドライブピニオン軸１の曲げ振動自体を抑制できるため、ギヤノイズの発生を一層効果的に低減することができる。なお、このような曲げ振動自体を抑制するという観点でいえば、以下に述べる各実施形態において同様の中間軸受を設けてもよい。
【００２５】
（第２の実施形態）
本実施形態は、連接機構としてスプライン部６を歯車継ぎ手として用い、ドライブピニオン軸１の曲げ変位を許容するものである。図３は、本実施形態に係るドライブピニオン軸１の要部拡大図である。同図（ａ）に示すように、ドライブピニオン軸１の端部に設けられた外スプライン１ａは、スプライン外径が外側に向けて弓状に湾曲しており、凸状の樽型に仕上げてある。同図（ｂ）は、外スプライン１ａの歯筋形状を示している。通常のスプラインは、二点鎖線Ａで示すように歯筋が真直(true)になるように製作するが、本実施形態では歯筋にクラウニングが設けられている。このような形状の外スプライン１ａを製造する場合、まず、外径の円弧形状は歯切り前のブランク形状で、または熱処理後に研削加工で与える。歯筋のクラウニングは、真直歯面を形成した後に、シェービング加工で与えることができる。スプライン部６を上記形状を有する歯車継ぎ手とすることで、スプライン歯面は線当りとなり、スプライン部６の相対運動を容易に行うことができる。
【００２６】
本実施形態は、連接機構の一形態であるクラウニングを有する歯車継ぎ手によって、ドライブピニオン軸１とリダクションドリブンギヤ２とを回転結合している。これにより、リダクションドリブンギヤ２の変位を規制しながら、ドライブピニオン軸１の曲げ変位のみが許容される。したがって、ドライブピニオン軸１の曲げ振動に起因した歯当たり変化を防止できるため、ギヤノイズの発生を有効に抑制することが可能となる。また、スプライン部６の形状を上述したような修正にすることで、スプライン歯面やスプライン内外径の当り位置が限定されるため、スプライン部６におけるバックラッシ管理が容易になる。さらに、スプライン歯面が線当りに近くなるため、バックラッシをより減少させても、ドライブピニオン軸１の曲げ変形に対する許容度を損なうことがなく、ガタ打音に対して有利になる。
【００２７】
（第３の実施形態）
本実施形態では、ドライブピニオン軸１とリダクションドリブンギヤ２とを回転結合する連接機構として、上述したスプライン部６に代えて、ダブルオフセット式等速継ぎ手１０を用い、ドライブピニオン軸１の曲げ変位を許容する。図４に示すように、この等速継ぎ手１０自体は既知の構造である。等速継ぎ手１０の内輪１１は、ドライブピニオン軸１とスプライン嵌合しており、その外壁面にはボール１２を収納可能な複数のボール溝１１ａが形成されている。一方、リダクションドリブンギヤ２は、等速継ぎ手の外輪として機能し、その内壁面にはボール１２を収納可能な複数のボール溝１２ａが形成されている。ボール１２は、内輪１１側のボール溝１１ａと外輪であるリダクションドリブンギヤ２側のボール溝１２ａとによって把持されており、サークリップ１３によって脱落することなく転動する。等速継ぎ手１０におけるボール１２の直径は、ねじり方向に対してガタが生じることなく、かつ、ドライブピニオン軸１の曲げ振動を有効に許容できるような適切な値に設定されている。
【００２８】
本実施形態によれば、連接機構としてダブルオフセット式等速継ぎ手１０を用いることにより、リダクションドリブンギヤ２の変位を規制しながら、ドライブピニオン軸１の曲げ変位のみを許容する。したがって、ドライブピニオン軸１の曲げ振動に起因したギヤノイズの発生を有効に抑制することができる。特に、等速継ぎ手１０はガタがないので、トルク変動によるガタ打音の発生がなく、フレッティング摩耗も発生しない。また、ボール１２の効果によりフリクションが少ないので、トルク伝達中も効果的に振動を遮断することができる。
【００２９】
なお、ドライブピニオン軸１の曲げ振動による軸変位は極めて少ないので、連接機構として市販の可撓体による等速継ぎ手を用いても同様の効果を得ることができる。
【００３０】
（第４の実施形態）
上述した各実施形態では、ドライブピニオン軸側に設けられたドリブンギヤへの適用例について説明した。しかしながら、本発明は、ドライブピニオン軸以外の回転軸（特に軸長の長い回転軸）に対して広く適用することができる。また、以下の第４の実施形態で述べるように、ドライブギヤ側に対しても適用可能である。
【００３１】
図５は、ドライブギヤ側に本発明を適用した変速機のスケルトン図である。この変速機の入力軸２０に入力された動力は、シンクロ機構および変速ギヤ列を主体に構成された変速機構２１によって適切に変速された後、フロントドライブ軸２２に伝達される。フロントドライブ軸２２に伝達された動力は、前輪を駆動するデファレンシャル装置２３に伝達されるとともに、ギヤ列２４ａ，２４ｂを介してリヤドライブ軸２５に伝達される。このような構成では、ドライブギヤ２４ａと回転結合するフロントドライブ軸２２は長軸化する傾向があり、曲げ振動が生じ得る。そのため、ドライブギヤ２４ａ側でのギヤノイズ対策が必要となる。
【００３２】
そこで、第１の実施形態で述べたルーズスプラインを、フロントドライブ軸２２とドライブギヤ２４ａとの結合部位であるスプライン部２６に適用する。これにより、フロントドライブ軸２２側からドライブギヤ２４ａ側への曲げ振動の伝達が低減されるために、ギヤノイズの発生を有効に抑制することができる。また、第２の実施形態で述べたように、スプライン部２６を歯車継ぎ手としてもよい。さらに、第３の実施形態で述べたように、スプライン部２６に代えて、等速継ぎ手を用いてもよい。
【００３３】
【発明の効果】
このように、本発明では、回転軸とギヤとの回転結合に、ギヤの変位を規制しながら回転軸の曲げ変位のみを許容する連接機構を用いる。これにより、回転軸が曲げ振動を起こす振動モードにおいても、回転軸に取付けられたギヤの歯面振動を低下できる。その結果、軸振動に起因したギヤノイズの発生を有効に抑制することができ、静粛性の向上を図ることが可能となる。特に、軸長が長い回転軸、すなわち、変速機中の主変速部の全長よりも長い回転軸に適用した場合に、静粛性に関して顕著な効果を得ることができる。
【図面の簡単な説明】
【図１】縦置型変速機の要部構成図
【図２】バックラッシの説明図
【図３】第２の実施形態に係るドライブピニオン軸の要部拡大図
【図４】第３の実施形態に係る等速継ぎ手の断面図
【図５】第４の実施形態に係る変速機のスケルトン図
【符号の説明】
１  ドライブピニオン軸
１ａ  外スプライン
２  リダクションドリブンギヤ
２ａ  ボール溝
３  ハイポイドピニオンギヤ
４  複列テーパーローラ軸受
５  ボール軸受
６  スプライン部
７  デファレンシャル装置
１０  等速継ぎ手
１１  内輪
１１ａ  ボール溝
１２  ボール
１２ａ  ボール溝
１３  サークリップ
２０  入力軸
２１  変速機構
２２  フロントドライブ軸
２３  デファレンシャル装置
２４ａ  ドライブギヤ
２４ｂ  ドリブンギヤ
２５  リヤドライブ軸
【図１】
0004220145.tif 000002
【図２】
0004220145.tif 000003
【図３】
0004220145.tif 000004
【図４】
0004220145.tif 000005
【図５】
0004220145.tif 000006